(57)【特許請求の範囲】
【請求項１】
左右方向が奥行きよりも長い縦形の箱形をなすキャビネットと、
このキャビネット内に設けられ、その吐出孔がその側面の前記キャビネットの前方側に設けられた複数のポンプ及び前記複数のポンプの上側にそれぞれ設けられた電動モータを有し、前記複数のポンプがこれら電動モータの出力軸に前記吸込孔が下側を向いてそれぞれ直結されるとともに、前記電動モータ及び前記ポンプが前記キャビネットの上段の奥側、且つ、前記左右方向に並列に配設されたポンプユニットと、
前記複数のポンプの吸込孔に接続され、前記キャビネット内、且つ、前記複数のポンプの下側に配設されるとともに、前記ポンプユニットの口径と同じ口径に形成された第１逆流防止装置と、
前記キャビネット内、且つ、前記複数のポンプの下側に配設され、前記第１逆流防止装置に並列に組み付くとともに、前記ポンプユニットの口径より小さい口径に形成された第２逆流防止装置と、
前記キャビネット内に設けられ、前記ポンプユニットの真下であって前記左右方向に延設された、前記ポンプの吸込孔に接続される吸込側の合流管と、
前記キャビネット内に設けられ、その一方の端部が前記吸込側の合流管の端部に接続されるとともに、前記吸込側の合流管の前方斜め下側へ向ってＵ字に曲成され、前記ポンプの口径と同口径に形成された中継管と、
前記キャビネット内に設けられ、前記吐出孔にそれぞれ接続された前記ポンプと同口径の下側に向くＬ字形の吐出管と、
前記キャビネット内の前記給水ポンプの直下前方、且つ、前記第１逆流防止装置の上側に配設され、前記吐出管に接続された前記左右方向に延びる吐出側の合流管と、
を備え、
前記第１逆流防止装置は、前記キャビネット内、且つ、前記吸込側の合流管の前方斜め下側に前記左右方向に延びて配設され、
前記第２逆流防止装置は、前記キャビネット内、且つ、前記合流管の下側に前記左右方向に延びて配設されることを特徴とする直結式給水装置。
【請求項２】
前記第１逆流防止装置の一次側と二次側とには、前記ポンプユニットの口径と同じ口径の第１開閉弁がそれぞれ設けられ、
前記第２逆流防止装置の一次側と二次側とには、前記第２逆流防止装置の口径に準じた小口径の第２開閉弁がそれぞれ設けられる
ことを特徴とする請求項１に記載の直結式給水装置。
【発明の詳細な説明】
【技術分野】
【０００１】
本発明は、例えば水道本管に接続されて各戸に給水を行なう直結式給水装置に関する。
【背景技術】
【０００２】
マンションやアパートなどで用いられる水道本管の水道水を給水する給水システムは、
水道本管の供給圧が規定されているために、使用量が多くなると、給水量が追いつかず、給水能力が不十分になる場合がある。そこで、マンションやアパートの給水システムでは、直結式給水装置を採用して、このような状況を回避することが行われている。
【０００３】
通常、直結式給水装置は、水道本管から各家庭に向う配管にポンプユニットを介装して、水道本管の圧力や流量が不足するとき、それを補うようにポンプユニットの稼動で増圧させて給水を行なう。
【０００４】
ところで、直結式給水装置は、水道本管から直接、給水を行なう構造上、水道本管へ水道水が逆流するおそれがある。そこで、直結式給水装置では、同給水装置の配管の一部に逆流防止回路を設けて、水道水の水道本管への逆流を防いでいる。
【０００５】
通常、逆流防止回路は、給水装置の配管の一部、例えば吸込側あるいは吐出側の配管部材に、ポンプユニットの口径と同一口径の逆流防止装置を設ける構造が用いられている。
【０００６】
ところが、逆流防止装置は、１つなので、逆流防止装置を定期点検するときは、通水を止めてからでないとその点検業務が行なえず、断水が余儀なくされる問題がある。
【０００７】
そこで、逆流防止回路には、ポンプユニットの口径と同じ口径の逆流防止装置を、２個、並列に接続した構造を採用して、一方の逆流防止装置の点検時には、残る他方の逆流防止装置の逆流防止機能を確保して、点検業務に伴う断水を避けるようにしている。
【発明の開示】
【発明が解決しようとする課題】
【０００８】
ところで、直結式給水装置は、据付場所の制約から、できるだけ全体がコンパクトであることが求められる。特にポンプユニットや逆流防止回路が同一のキャビネット内に収められるパッケージタイプでは、その傾向が強い。
【０００９】
ところが、ポンプユニットの口径と同一の口径を２組設けるのでは、かなり逆流防止回路の外形寸法が大きくなるために、給水装置の全体をコンパクトに保つのは難しい。しかも逆流防止装置は、その口径が大きく程、外形寸法が増して、占有スペースが大きくなる傾向にあるので、給水装置全体のコンパクト化を損ないやすい。
【００１０】
特に限られた空間に各種部品を実装するパッケージタイプでは、十分なスペースを確保することが難しく、パッケージの外形を大きくせざるを得ない問題になることもある。
【００１１】
そこで、本発明の目的は、逆流防止回路のコンパクト化を図りつつ、需要者の負担を抑えた逆流防止装置の点検を可能とした直結式給水装置を提供することにある。
【課題を解決するための手段】
【００１２】
請求項１に記載の発明は、左右方向が奥行きよりも長い縦形の箱形をなすキャビネットと、このキャビネット内に設けられ、その吐出孔がその側面の前記キャビネットの前方側に設けられた複数のポンプ及び前記複数のポンプの上側にそれぞれ設けられた電動モータを有し、前記複数のポンプがこれら電動モータの出力軸に前記吸込孔が下側を向いてそれぞれ直結されるとともに、前記電動モータ及び前記ポンプが前記キャビネットの上段の奥側、且つ、前記左右方向に並列に配設されたポンプユニットと、前記複数のポンプの吸込孔に接続され、前記キャビネット内、且つ、前記複数のポンプの下側に配設されるとともに、前記ポンプユニットの口径と同じ口径に形成された第１逆流防止装置と、前記キャビネット内、且つ、前記複数のポンプの下側に配設され、前記第１逆流防止装置に並列に組み付くとともに、前記ポンプユニットの口径より小さい口径に形成された第２逆流防止装置と、前記キャビネット内に設けられ、前記ポンプユニットの真下であって前記左右方向に延設された、前記ポンプの吸込孔に接続される吸込側の合流管と、前記キャビネット内に設けられ、その一方の端部が前記吸込側の合流管の端部に接続されるとともに、前記吸込側の合流管の前方斜め下側へ向ってＵ字に曲成され、前記ポンプの口径と同口径に形成された中継管と、前記キャビネット内に設けられ、前記吐出孔にそれぞれ接続された前記ポンプと同口径の下側に向くＬ字形の吐出管と、前記キャビネット内の前記給水ポンプの直下前方、且つ、前記第１逆流防止装置の上側に配設され、前記吐出管に接続された前記左右方向に延びる吐出側の合流管と、を備え、前記第１逆流防止装置は、前記キャビネット内、且つ、前記吸込側の合流管の前方斜め下側に前記左右方向に延びて配設され、前記第２逆流防止装置は、前記キャビネット内、且つ、前記合流管の下側に前記左右方向に延びて配設されることを特徴とする構成を採用した。
【００１４】
請求項２に記載の発明は、前記第１逆流防止装置の一次側と二次側とには、前記ポンプユニットの口径と同じ口径の第１開閉弁がそれぞれ設けられ、前記第２逆流防止装置の一次側と二次側とには、前記第２逆流防止装置の口径に準じた小口径の第２開閉弁がそれぞれ設けられることを特徴とする構成とした。
【発明の効果】
【００１５】
逆流防止回路は、ポンプユニットと同一な口径の逆流防止装置を複数組、用いる構造に比べ、外形寸法が小さくてすむ。しかも、給水量の少ない時間帯を選んで、ポンプユニット口径と同一の逆流防止装置の点検等を行なえば、需要者に断水などの負担を強いずにすむ。
【００１６】
それ故、逆流防止回路のコンパクト化が図れるうえ、逆流防止装置の需要者負担を抑えた点検が行なえる。
【００１７】
さらに逆流防止回路のコンパクト化を損なわずに、必要な個所の通水を止めることができる。
【００１８】
小口径の逆流防止装置の特徴を活かしたコンパクトなパッケージタイプの直結式給水装置を得ることができる。
【発明を実施するための最良の形態】
【００１９】
［第１の実施形態］
以下、本発明を図１ないし図４に示す第１の実施形態にもとづいて説明する。
【００２０】
図１は例えばパッケージタイプの直結式給水装置の正面図、図２は同装置の右側面図、図３は同装置の奥行き側の構造を示す図２中の矢視Ａ−Ａ線に沿う正断面図、図４は図２中のＢ−Ｂ線に沿う平断面図をそれぞれ示していて、同図中１は箱形のキャビネットを示す。同キャビネット１は、左右方向が細長く、奥行きがそれより極端に短い縦形の箱形をなしている。２はそのキャビネット１の骨格を形成する架台を示し、３はキャビネット１の各部の壁面を形成するプレート状のカバー部材（一部しか図示せず）を示している。
【００２１】
キャビネット１の上段の奥側にはポンプユニット５が配設されている。ポンプユニット５は、例えば左右幅方向に沿って並行に据え付けられ縦形の給水ポンプ６を備える。これら給水ポンプ６には、例えばいずれも上側に電動モータ７を有し、下側に該モータ７の出力軸（図示しない）に直結される多段式のタービンポンプ８を有している。これらタービンポンプ８は、いずれも上側の吐出孔（図示しない）が正面に向き、下側の吸込孔（図示しない）が下方へ向くようにキャビネット１内に据え付けてある。
【００２２】
これらタービンポンプ８の吸込孔は、いずれも図２および図３に示されるようにタービンポンプ８と同口径の保守用開閉弁１０を介して、タービンポンプ８の直下に配設された左右方向に延びる吸込側の合流管１１に接続されている。また各タービンポンプ８の吐出孔は、いずれも図１および図２に示されるようにタービンポンプ８と同口径の下側の向くＬ字形の吐出管１２（チェック弁内蔵）、保守用の開閉弁１４を介して、タービンポンプ８の直下前方に配設された左右方向に延びる吐出側の合流管１５に接続されている。
【００２３】
これらにて、合流管１１の右端を吸込部とし、合流管１５の左端を吐出部としたポンプユニット５を形成している。
【００２４】
このうち合流管１５（吐出側）の吐出部は、キャビネット１の左側壁の上段側に貫通して設けた連結管１６に接続されている。この連結管１６のキャビネット1外に突き出た先端部にて、各家庭に向う給水配管（図示しない）と接続可能な給水配管接続用の吐出口１７を形成している。なお、合流管１５の一部には給水補完用のアキュームレータ１８が接続されている。
【００２５】
合流管１１（吸込側）の吸込部には、ポンプ口径と同口径の中継管２０が接続されている。この中継管２０は、図２に示されるように例えば前方斜め下側へ向って略Ｕ字に曲成している。このキャビネット１の下段中央側に向く中継管２０の端部と、キャビネット１の左側壁の下段側を貫通した連結管２３との間には、キャビネット１の下段スペースを活用して、並列式の逆流防止回路２２が配設されている。
【００２６】
この逆流防止回路２２について説明すると、同回路は、図１〜図４に示されるように例えばキャビネット１の奥行き方向手前側に主逆流防止系統２１ａが配置され、その奥側に副逆流防止系統２１ｂが配置された並列な回路で構成されている。詳しくは、主逆流防止系統２１ａは、図１および図４に示されるようにポンプ口径と同口径（ポンプユニットと同じ口径）の逆流防止装置２６（例えば中間室を挟んで一対のチェック弁を組付けた構造よりなる）を有している。そして、逆流防止装置２６を挟んだ両側に形成されている口部のうち、一次側となる口部（入口側）には、ポンプ口径と同口径の開閉弁（第１開閉弁に相当）、例えばストレーナ内蔵のボール弁２７が直結されている。また二次側となる口部（出口側）には、同じく同口径の開閉弁（第１開閉弁に相当）、例えばボール弁２８が直結され、逆流防止装置２６の一次側と二次側とを締め切り可能としている。この逆流防止装置２６が、図１、図２および図４に示されるようにボール弁２７，２８と共に、横向き、すなわちキャビネット１の左右方向沿いに据付けてある。そして、一次側のボール弁２７が、連結管２３の後端部に連結されている奥行き方向に延びるヘッダー管２９（ポンプ口径と同口径）に接続されている。
【００２７】
ここで、上記中継管２０は、図２に示されるようにキャビネット１の上段奥行き側から下段手前側へ向かうように曲げられている。
【００２８】
二次側のボール弁２８は、この中継管２０の端部（下段側）に接続され、主逆流防止系統２１ａの全体を、限られたキャビネット１内の左右方向（幅方向）のスペースに収容させている。
【００２９】
副逆流防止系統２１ｂは、図３および図４に示されるようにポンプ口径より小さい口径（ポンプユニットより小口径）の逆流防止装置３０（例えば中間室を挟んで一対のチェック弁を組付けた構造よりなる）を有している。そして、逆流防止装置３０を挟んだ両側に形成されている口部のうち、一次側となる口部（入口側）には、逆流防止装置３０の口径に準じた口径（ポンプ口径より小さい口径）の開閉弁（第２開閉弁）、例えばストレーナ内蔵のボール弁３１が直結されている。また二次側となる口部（出口側）には、同じく小口径の開閉弁（第２開閉弁に相当）、例えばボール弁３２が直結され、逆流防止装置３０の一次側と二次側とを締め切り可能としている。この逆流防止装置３０がボール弁３１，３２と共に、図１、図２および図４に示されるように上記逆流防止装置２６と隣接して、キャビネット１の奥行き側に並行に設置してある。そして、一次側のボール弁３１が、ポンプ口径に準じた口径の配管材３３ａを介して、ヘッダー管２９に接続されている。また二次側のボール弁３２は、ポンプ口径に準じた口径の配管材３３ｂを介して、図２に示されるように斜めに配置されている中継管２０の途中に接続され、副逆流防止系統２１ｂを主逆流防止系統２１ａに対してバイパスさせている。これら小口径機器の採用により、副逆流防止系統２１ｂの全体がコンパクト化される。この特徴により、主逆流防止系統２１ａの側方の限られたスペースに、副逆流防止系統２１ｂを実装させている。
【００３０】
つまり、逆流防止回路２２は、このように主逆流防止系統２１ａはそのまま変更せず、副逆流防止系統２１ｂがコンパクト化されることによって、通常時の運転を損なわずに、逆流防止回路２２の全体のコンパクト化を図っている。これにより、同口径では無理とされる並列式の逆流防止回路２２の設置を実現している。なお、逆流防止回路２２の各ボール弁２７，２８，３１，３２は、開放（通水可能状態）してある。但し、２６ａは逆流防止装置２６の下部に形成されているドレン孔から延びるドレン配管、３０ａは逆流防止装置３０の下部に形成されているドレン孔から延びるドレン配管を示す。
【００３１】
そして、キャビネット１外へ突き出た連結管２３の先端部から、水道本管（配水管本管に相当：図示しない）と接続可能な水道本管接続用の吸込口３５を形成している。なお、３６は、高配水時（吸込側の圧力が目標圧力より高くなるとき）に吸込側の合流管１１から吐出側の合流管１５へバイパスさせるチェック弁内蔵のバイパス管を示し、３７はポンプユニット５の各部や逆流防止回路２２の各部を支える支持部材を示し、３８は圧力センサを示す。但し、図示はしないがキャビネット１の上部には制御機器を内蔵した制御盤が設けられる。
【００３２】
こうした直結式給水装置において、水道本管の供給圧が、水道水の需要に十分に満たし得る状況の場合、水道本管の水道水は、吸込口３５から、逆流防止装置２６，３０、給水ポンプ６や、先述の吸込側の合流管１１から吐出側の合流管１５へバイパスさせるチェック弁内蔵のバイパス管３６を経て、吐出口１７から各家庭の蛇口へ供給される。このとき使用側の需要が多く、水道本管の圧力だけでは供給が賄いきれなくなると、給水ポンプ６が稼動を始めて、不足する水道水の水量や圧力を補う。
【００３３】
ここで、主となる逆流防止装置２６の内部の点検を行なうときは、給水量の少ない時間帯を選んで、逆流防止装置２６の両側を締め切り、点検作業を行なう。この間、水道水は、小口径の逆流防止装置３０（副側）を流れる水道水が各家庭へ給水されるので、需要者に断水などの負担を与えずにすむ。もちろん、副となる逆流防止装置２６の点検を行なうときは、ポンプユニット５と同一口径の逆流防止装置２６を通じて、水道水が各家庭へ供給されるので、通常時と全く同じ給水性能が確保される。
【００３４】
したがって、逆流防止回路２２は、小口径の逆流防止装置３０の採用により、ポンプユニット５と同一な口径の逆流防止装置を複数組、用いる構造に比べ、外形寸法が小さくてすむから、逆流防止回路２２の全体のコンパクト化が図れるうえ、需要者の負担を抑えた逆流防止装置２６（主）の点検の実施ができる。しかも、逆流防止装置３０は、口径が大きくなる程、高価になる傾向にあるので、小口径の逆流防止装置３０の採用により、廉価な製品でよく、逆流防止回路２２のコストの低減が図れる。
【００３５】
そのうえ、逆流防止装置３０を締め切る部品には、小口径の逆流防止装置３０に準じた小口径のボール弁３１，３２（開閉弁）が採用してあるから、逆流防止回路２２のコンパクト化を損なわず、必要な個所の通水を止めることができる。
【００３６】
特にポンプユニット５を、逆流防止回路２２と共に、限られた大きさのキャビネット１内に収容するパッケージタイプの直結式給水装置だと、小口径の逆流防止装置３０や小口径のボール弁３０，３１の特徴を活かしたコンパクトな直結式給水装置が実現できる。
【００３７】
［第２実施形態］
第１の実施形態では、ヘッダー管２９を用いて、ポンプ口径と同口径の逆流防止装置２６に、小口径の逆流防止装置３０をバイパスさせる構造を採用したが、これに限らず、図５に示される第２の実施形態のように主逆流防止系統２１ａの両端側にそれぞれ直管部４０を形成して、同直管部４０，４０から分岐して、副逆流防止系統２１ｂをパイパスさせる構造でもよい。なお、図５において、第１の実施形態と同じ部分には同一符号を付してその説明を省略した。
【図面の簡単な説明】
【００３８】
【図１】本発明の第１の実施形態に係る直結式給水装置の一部切欠した正面図。
【図２】同装置の右側面図。
【図３】図３中の矢視Ａ−Ａ線に沿う直結式給水装置の正断面図。
【図４】図３中の矢視Ｂ−Ｂ線に沿う直結式給水装置の平断面図。
【図５】本発明の第２の実施形態の要部となる逆流防止回路の平面図。
【符号の説明】
【００３９】
１…キャビネット、５…ポンプユニット、１７…吐出口、２２…逆流防止回路、２６…ポンプユニット口径と同口径の逆流防止装置、２７，２８…ボール弁（第１開閉弁）、３０…小口径の逆流防止装置、３１，３２…ボール弁（第２開閉弁）、３５…吸込口。
【図１】
0004447965.tif 000002
【図２】
0004447965.tif 000003
【図３】
0004447965.tif 000004
【図４】
0004447965.tif 000005
【図５】
0004447965.tif 000006